【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
画像データを送信する送信処理を実行可能な画像処理装置であって、
情報を表示する表示部と、
宛先名称に紐づけたアドレス情報をアドレス帳として保持可能な保持手段と、
前記送信処理の宛先として前記アドレス帳で指定された宛先を受け付ける手段と、
前記送信処理の履歴情報を記憶する手段と、
前記履歴情報に基づいて、前記送信処理に紐づく宛先情報の一覧を前記表示部に表示する手段と、を有し、
前記表示する手段は、前記送信処理に紐づく宛先情報が第１の数の場合には宛先名称とアドレス情報とを用いて前記一覧を表示し、前記送信処理に紐づく宛先情報が第２の数の場合には宛先名称を用いずにアドレス情報を用いて前記一覧を表示することを特徴とする画像処理装置。
【請求項２】
前記表示する手段は、
前記第１の数の場合での第１の表示方法において、前記メールアドレスおよび前記宛先名称を、ＲＦＣ２８２２のアドレス形式にて、前記表示部に表示する、
ことを特徴とする請求項１記載の、画像処理装置。
【請求項３】
前記表示する手段は、
取得された電子メールの履歴情報において各宛先についての送信属性を取得している場合、
履歴情報の宛先と対応づけて、前記送信属性を示す情報を、前記表示部に表示する、
ことを特徴とする請求項２記載の、画像処理装置。
【請求項４】
前記取得手段は、
前記送信処理の履歴情報として、電子メールの履歴情報を取得し、
前記表示する手段は、
前記第１の数の場合での第１の表示方法および前記第２の数の場合での第２の表示方法のそれぞれについて、電子メールの宛先の表示形式を、送信属性ごとに設定する、
ことを特徴とする請求項３記載の、画像処理装置。
【請求項５】
前記表示する手段は、
前記第１の数の場合での第１の表示方法および前記第２の数の場合での第２の表示方法のそれぞれについて、電子メールの宛先名称およびメールアドレスの表示形式を、送信属性ごとの設定に基づいて表示する、
ことを特徴とする請求項４記載の、画像処理装置。
【請求項６】
前記表示する手段は、
前記第１の数の場合での第１の表示方法および前記第２の数の場合での第２の表示方法のそれぞれの表示において、送信属性ごとに設定されている文字の属性により表示する、
ことを特徴とする請求項５記載の、画像処理装置。
【請求項７】
前記表示する手段は、
前記第１の数の場合での第１の表示方法および前記第２の数の場合での第２の表示方法のそれぞれの表示において、送信属性ごとの設定に基づいて送信属性を付加して表示する、
ことを特徴とする請求項６記載の、画像処理装置。
【請求項８】
前記表示する手段は、
前記第１の数の場合での第１の表示方法および前記第２の数の場合での第２の表示方法のそれぞれの表示において、送信属性ごとの設定に基づいて宛先そのものの表示の有無を制御する、
ことを特徴とする請求項７記載の、画像処理装置。
【請求項９】
前記表示する手段は、
前記第１の数の場合での第１の表示方法および前記第２の数の場合での第２の表示方法のそれぞれの表示において、送信属性ごとの設定に基づいて複数の宛先の連続表示または改行表示を制御する、
ことを特徴とする請求項８記載の、画像処理装置。
【請求項１０】
前記保持手段は、宛先名称に紐づけたアドレス情報をアドレス帳として保持する際に、第一表示設定および第二表示設定を含む複数の表示設定を記録し、
前記表示する手段は、
前記保持手段に保持されている複数の表示設定の間で設定を切り替えて、前記第１の数の場合での第１の表示方法および前記第２の数の場合での第２の表示方法のそれぞれでの複数の宛先の表示を切り替える、
ことを特徴とする請求項９記載の、画像処理装置。
【請求項１１】
前記表示する手段は、
取得された履歴情報の宛先を表示するための合計文字数が、前記表示部に表示させる履歴の表示において表示可能な所定数である前記第１の数以下である場合、履歴情報の宛先を、第１の表示方法で前記表示部に表示し、
取得された履歴情報の宛先を表示するための合計文字数が、前記表示部に表示させる履歴の表示において表示可能な所定数である前記第１の数より大きい前記第２の数以上である場合、履歴情報の宛先を、前記第１の表示方法よりも各宛先をコンパクトに表示する第２の表示方法で前記表示部に表示する、
ことを特徴とする請求項１記載の、画像処理装置。
【請求項１２】
画像データを送信する送信処理を実行可能な画像処理装置の表示部に表示される情報の表示制御方法であって、
宛先名称に紐づけたアドレス情報をアドレス帳として保持する工程と、
前記送信処理の宛先として前記アドレス帳で指定された宛先を受け付ける工程と、
前記送信処理の履歴情報を記憶する工程と、
前記履歴情報に基づいて、前記送信処理に紐づく宛先情報の一覧を前記表示部に表示する工程と、を有し、
前記表示する工程は、前記送信処理に紐づく宛先情報が第１の数の場合には宛先名称とアドレス情報とを用いて前記一覧を表示し、前記送信処理に紐づく宛先情報が第２の数の場合には宛先名称を用いずにアドレス情報を用いて前記一覧を表示することを特徴とする表示制御方法。
【請求項１３】
画像データを送信する送信処理を実行可能な画像処理装置の表示部に表示される情報の表示制御方法をコンピュータに実行させるプログラムであって、
宛先名称に紐づけたアドレス情報をアドレス帳として保持可能な保持する工程と、
前記送信処理の宛先として前記アドレス帳で指定された宛先を受け付ける工程と、
前記送信処理の履歴情報を記憶する工程と、
前記履歴情報に基づいて、前記送信処理に紐づく宛先情報の一覧を前記表示部に表示する工程と、を有し、
前記表示する工程は、前記送信処理に紐づく宛先情報が第１の数の場合には宛先名称とアドレス情報とを用いて前記一覧を表示し、前記送信処理に紐づく宛先情報が第２の数の場合には宛先名称を用いずにアドレス情報を用いて前記一覧を表示することを特徴とするプログラム。
【手続補正２】
【補正対象書類名】明細書
【補正対象項目名】発明の名称
【補正方法】変更
【補正の内容】
【発明の名称】画像処理装置、表示制御方法、およびプログラム
【手続補正３】
【補正対象書類名】明細書
【補正対象項目名】０００１
【補正方法】変更
【補正の内容】
【０００１】
本発明は、画像処理装置、表示制御方法、およびプログラムに関する。
【手続補正４】
【補正対象書類名】明細書
【補正対象項目名】０００６
【補正方法】変更
【補正の内容】
【０００６】
本発明に係る画像処理装置は、画像データを送信する送信処理を実行可能な画像処理装置であって、情報を表示する表示部と、宛先名称に紐づけたアドレス情報をアドレス帳として保持可能な保持手段と、前記送信処理の宛先として前記アドレス帳で指定された宛先を受け付ける手段と、前記送信処理の履歴情報を記憶する手段と、前記履歴情報に基づいて、前記送信処理に紐づく宛先情報の一覧を前記表示部に表示する手段と、を有し、前記表示する手段は、前記送信処理に紐づく宛先情報が第１の数の場合には宛先名称とアドレス情報とを用いて前記一覧を表示し、前記送信処理に紐づく宛先情報が第２の数の場合には宛先名称を用いずにアドレス情報を用いて前記一覧を表示することを特徴とする。
【手続補正５】
【補正対象書類名】明細書
【補正対象項目名】００１０
【補正方法】変更
【補正の内容】
【００１０】
［第１実施形態］
図１は、本発明の第一実施形態に係る通信ジョブ（送信処理）の履歴表示装置としての画像形成装置１０１を含む電子メールシステム１００の構成図である。図１の電子メールシステム１００は、画像形成装置１０１、メールサーバ１０３、ＰＣ１０４、およびこれらの装置をデータ通信可能に接続するネットワーク１０５、を有する。ネットワーク１０５は、それに接続される装置をデータ通信可能に接続されるものであればよく、有線方式または無線方式により各装置と接続されてよい。電子メールシステム１００において、画像形成装置１０１は、電子メールの送信設定に基づいて、原稿をスキャンした画像データを電子メールに添付してメールサーバ１０３へ送信する。画像データは、画像をＲＡＷデータ化した電子データに限らず、ＴＩＦＦ、ＪＰＥＧなどの画像フォーマットに従った電子データやＰＤＦフォーマットに従った電子データであってもよい。メールサーバ１０３は、たとえばＳＭＴＰプロトコルに対応したメールサーバ１０３である。メールサーバ１０３は、受信した電子メールおよび添付されている画像データを、電子メールの宛先ごとのメールボックスに分類して蓄積保存する。ＰＣ１０４は、メールサーバ１０３から、ＰＣ１０４を使用するユーザの電子メールを、ＰＯＰプロトコルにより受信する。ＰＣ１０４は、ＨＴＴＰプロトコルにより画像形成装置１０１と接続し、画像形成装置１０１の設定を参照して更新してよい。ＰＣ１０４は、画像形成装置１０１の各種情報（送信履歴、装置名称、ユーザ情報など）を参照してよい。
【手続補正６】
【補正対象書類名】明細書
【補正対象項目名】００１１
【補正方法】変更
【補正の内容】
【００１１】
図２は、画像処理装置としての、図１の画像形成装置１０１の構成図である。図２の画像形成装置１０１は、読取部１１６、表示部１２１、操作部１１８、印刷部１２０、およびこれらが接続される制御部１１０、を有する。制御部１１０は、ＣＰＵ１１１、ＲＯＭ１１２、ＲＡＭ１１３、ストレージ１１４、読取Ｉ／Ｆ１１５、操作Ｉ／Ｆ１１７、印刷Ｉ／Ｆ１１９、通信Ｉ／Ｆ１２３、およびこれらが接続されるシステムバス１２５、を有する。ＲＯＭ１１２は、ＣＰＵ１１１で実行可能な制御プログラムおよび制御に使用する各種のデータを、保持して記録する。ＲＯＭ１１２は、ブートプログラムやフォントデータなども記録してよい。ストレージ１１４は、たとえば、主に、画像データ、印刷データ、アドレス帳、各種のプログラム、および各種の設定情報を記録する。ストレージ１１４は、たとえば電源ＯＦＦ／ＯＮで消去されない不揮発性のフラッシュメモリでよい。ストレージ１１４は、この他にもたとえば、ＳＳＤ、ＨＤＤ、ｅＭＭＣなどでよい。ＲＡＭ１１３は、ＣＰＵ１１１のメインメモリであり、たとえば、ワークエリア、プログラムを展開するための一時記録領域として用いられる。ＲＯＭ１１２、ＲＡＭ１１３、およびストレージ１１４は、画像形成装置１０１の保持手段としての記録部を構成する。ＣＰＵ１１１は、ＲＯＭ１１２又はストレージ１１４に記録されたプログラムを読み出してＲＡＭ１１３に展開して実行する。これにより、図２の画像形成装置１０１には、画像形成装置１０１の全体的な動作を制御するための制御部１１０が実現される。制御部１１０は、読取部１１６、表示部１２１、操作部１１８、印刷部１２０の動作を制御し、たとえば読取制御、印刷制御、電子メールの送信制御などを実行する。なお、画像形成装置１０１は、複数のＣＰＵ１１１を備え、その複数のＣＰＵ１１１によりＲＯＭ１１２又はストレージ１１４に記録されたプログラムを分散して実行してもよい。また、後述するプログラムの一部は、ＡＳＩＣやＦＰＧＡなどのハードウェア回路により処理されてもよい。
【手続補正７】
【補正対象書類名】明細書
【補正対象項目名】００１６
【補正方法】変更
【補正の内容】
【００１６】
たとえば、図４（ｅ）の宛先画面４３０は、受付番号４２０１が００２９である電子メールについての宛先を表示する画面である。受付番号４２０１が００２９である電子メールの宛先は、１件である。通信モード４２０８は、通常送信である。この場合、ＣＰＵ１１１は、宛先４３１において、送信属性の“Ｔｏ：”と送信時に設定した電話帳の名称（宛先名称）“ＡＡＡ”とメールアドレス（アドレス情報）“＜ａａａ＠ａｂｃ．ｃｏ．ｊｐ＞”とを、宛先画面４３０に表示する。アドレス帳から１宛先のみを設定して通常送信した場合、宛先表示４３１のように“送信属性（Ｔｏ／Ｃｃ／Ｂｃｃ）：アドレス帳に入力された名称＜メールアドレス＞”の形式で宛先の文字列が表示される。たとえば、アドレス帳に名称“ＡＡＡ”、メールアドレス“ａａａ＠ａｂｃ．ｃｏ．ｊｐ”を登録した場合、“Ｔｏ：ＡＡＡ＜ａａａ＠ａｂｃ．ｃｏ．ｊｐ“の文字列が表示される。また、図４（ｅ）の宛先画面４３０には、後述する表示設定ボタン４３５、表示切替ボタン４３３、が表示される。
【手続補正８】
【補正対象書類名】明細書
【補正対象項目名】００１８
【補正方法】変更
【補正の内容】
【００１８】
このように、表示制御手段としてのＣＰＵ１１１は、取得された履歴情報の宛先が、表示部１２１に表示させる履歴の表示画面において表示可能な所定の第１の数（ここでは１件）以下の宛先件数である場合、第１の表示方法で表示する。第１の表示方法では、履歴情報のすべての宛先を、第１の表示方法で表示画面に一覧に表示する。また、表示制御手段としてのＣＰＵ１１１は、取得された履歴情報の宛先が、表示部１２１に表示させる履歴の表示画面において表示可能な所定数より多い（ここでは２件以上の）宛先件数（第２の数）である場合、第２の表示方法で表示する。第２の表示方法では、履歴情報のすべての宛先を、第１の表示方法よりも各宛先をコンパクトに、表示画面に一覧に表示する。表示画面には、宛先名称を用いずにアドレス情報を用いて一覧が表示される。